(57)【特許請求の範囲】
【請求項１】
構造物の施工時に該構造物の外壁面に沿って設置されるとともに該外壁面に沿って上方にスライド可能な仮設足場ユニットと、
前記外壁面に固定され、前記仮設足場ユニットを支持する支持構造と、
を備えるスライド足場設備において、
前記仮設足場ユニットには、上下方向に延在するスライドレールと、前記仮設足場ユニットを支えるための被支持部と、が備えられ、
前記支持構造には、前記スライドレールに係合されて前記仮設足場ユニットのスライドを案内するガイドと、仮設足場ユニット側へ向けて張り出され、前記被支持部が載置されて前記仮設足場ユニットを支持する支持ブラケットと、が備えられ、
前記支持ブラケットは、水平方向に延在する回転軸周りに回転可能に設けられ、前記外壁面に対して垂直に張り出された水平状態から先端を下げる方向への回動が規制されているとともに、前記水平状態から先端を上げる方向への回動が許容され、
前記支持構造には、前記スライドレールに着脱自在に取り付けられるクランプが備えられていることを特徴とするスライド足場設備。
【請求項２】
請求項１記載のスライド足場設備において、
前記スライドレールには、前記ガイドに摺接する摺接部が付設されていることを特徴とするスライド足場設備。
【請求項３】
請求項１または２記載のスライド足場設備において、
前記クランプは、仮設足場ユニット側へ向けて延設されたクランプブラケットに設けられ、
該クランプブラケットは、鉛直面に沿って回転可能に設けられていることを特徴とするスライド足場設備。
【発明の詳細な説明】
【技術分野】
【０００１】
本発明は、構造物の施工時に用いられるスライド足場設備に関する。
【背景技術】
【０００２】
従来、建物の外壁面を施工するための外部足場としては、枠組み足場を地上より順次組み立てていくものが最も一般的であるが、このような足場では、超高層建物の建設には適用することができない。そこで、従来、上方にスライド可能なスライド足場がある。このスライド足場は、建物の立ち上がりとともに仮設足場ユニットを上方にスライドさせてクライミングさせるものである。
【０００３】
従来のスライド足場としては、特許文献１に開示されているように、チェーンホイストを用いて仮設足場ユニットを上昇させるものがある。このスライド足場では、仮設足場ユニットがチェーンホイストによって吊り下げ支持されているが、作業足場として使用する際の作業荷重もチェーンホイストで支持しようとすると、大型のチェーンホイストを使用したりチェーンホイストの数量を増やしたりしなければならず、コストが高くなる。したがって、仮設足場ユニットを支持する支持構造を別途設置することがある。例えば、外壁面に支持ブラケットを固定し、この支持ブラケットの上に仮設足場ユニットを載せる方法がある。このスライド足場では、クライミングの際、仮設足場ユニットを上昇させる前に、仮設足場ユニットを支持する支持ブラケットを取り外し、仮設足場ユニットを上昇させた後、支持ブラケットを外壁面に取り付けてその支持ブラケット上に仮設足場ユニットを載せる。
【特許文献１】特開２００１−７３５５１号公報
【発明の開示】
【発明が解決しようとする課題】
【０００４】
しかしながら、上記した従来のスライド足場設備では、仮設足場ユニットを上昇させる際、外壁面に支持ブラケットが取り付けられていると、その支持ブラケットに仮設足場ユニットが引っ掛かり、仮設足場ユニットを盛り替え位置まで上昇させることができないため、支持ブラケットを取り外してから仮設足場ユニットを上昇させなければならず、クライミング作業が煩雑であるという問題がある。
【０００５】
本発明は、上記した従来の問題が考慮されたものであり、クライミング作業を容易に行うことができるスライド足場設備を提供することを目的としている。
【課題を解決するための手段】
【０００６】
本発明に係るスライド足場設備は、構造物の施工時に該構造物の外壁面に沿って設置されるとともに該外壁面に沿って上方にスライド可能な仮設足場ユニットと、前記外壁面に固定され、前記仮設足場ユニットを支持する支持構造と、を備えるスライド足場設備において、前記仮設足場ユニットには、上下方向に延在するスライドレールと、前記仮設足場ユニットを支えるための被支持部と、が備えられ、前記支持構造には、前記スライドレールに係合されて前記仮設足場ユニットのスライドを案内するガイドと、仮設足場ユニット側へ向けて張り出され、前記被支持部が載置されて前記仮設足場ユニットを支持する支持ブラケットと、が備えられ、前記支持ブラケットは、水平方向に延在する回転軸周りに回転可能に設けられ、前記外壁面に対して垂直に張り出された水平状態から先端を下げる方向への回動が規制されているとともに、前記水平状態から先端を上げる方向への回動が許容され、前記支持構造には、前記スライドレールに着脱自在に取り付けられるクランプが備えられていることを特徴としている。
【０００７】
上記スライド足場設備では、外壁面に固定された支持構造によって仮設足場ユニットが支持されて、仮設足場ユニットが構造物の外壁面に沿って設置されている。このスライド足場設備のクライミングの際、まず、ガイド及び支持ブラケットを備える支持構造を予め上層階部分にも設置しておく。このとき、上記ガイドは、仮設足場ユニットのスライドレールに係合され、上記支持ブラケットは、外壁面に対して垂直に張り出された水平状態になっている。次に、仮設足場ユニットを例えば揚重機等で吊り上げて上昇させる。これにより、支持構造の支持ブラケット上に載置された仮設足場ユニットの被支持部が前記支持ブラケットから離間する。そして、仮設足場ユニットが上昇していくと、その被支持部が上層階部分の支持構造の支持ブラケットの下面に当接する。このとき、支持ブラケットは、水平状態から先端を上げる方向への回動が許容されているため、上昇する被支持部によって押し上げられ、水平状態から上方へ回動する。そして、被支持部が支持ブラケットの先端よりも上方に移動し、被支持部が支持ブラケットから外れると、押し上げられた支持ブラケットは、その先端を下げる方向へ回転する。このとき、支持ブラケットは、水平状態から先端を下げる方向への回動が規制されているため、水平状態になったところで回転が止まり、元の状態に戻る。このように、仮設足場ユニットの被支持部は、上層階部分の支持ブラケットをかわして上昇する。次に、仮設足場ユニットを下降させ、その被支持部を上層階部分の支持ブラケット上に載置する。このとき、支持ブラケットは、水平状態から先端を下げる方向への回動が規制されているため、仮設足場ユニットは、上層階部分の支持構造により支持される。以上により、スライド足場設備が上層階に盛り替えられる。
また、本発明に係るスライド足場設備は、前記支持構造に、前記スライドレールに着脱自在に取り付けられるクランプが備えられているので、仮設足場ユニットの被支持部を支持ブラケット上に載置させた後、クランプをスライドレールに取り付け、支持構造と仮設足場ユニットとを連結する。また、スライド足場設備のクライミングの際には、仮設足場ユニットを上昇させる前にクランプをスライドレールから外しておく。
【０００８】
また、本発明に係るスライド足場設備は、前記スライドレールに、前記ガイドに摺接する摺接部が付設されていることが好ましい。
【０００９】
これにより、摺接部がガイドの表面上を摺動しながら、仮設足場ユニット（スライドレール）が上昇する。
【００１２】
また、本発明に係るスライド足場設備は、前記クランプが、仮設足場ユニット側へ向けて延設されたクランプブラケットに設けられ、該クランプブラケットが、鉛直面に沿って回転可能に設けられていることが好ましい。
【００１３】
これにより、クランプをスライドレールから外した後、仮設足場ユニット側へ向けて延設されたクランプブラケットを回転させることで、クランプがスライドレールの近傍から離される。また、仮設足場ユニットを上昇させた後、クランプブラケットを回転させて元の位置（仮設足場ユニット側へ向けて延設された状態）に戻し、クランプをスライドレールに取り付ける。
【発明の効果】
【００１４】
本発明に係るスライド足場設備によれば、クライミングの際、支持ブラケットが上方に回転して仮設足場ユニットの被支持部をかわすため、盛り替え作業を容易に行うことができる。
【発明を実施するための最良の形態】
【００１５】
以下、本発明に係るスライド足場設備の実施の形態について、図面に基いて説明する。
図１は本発明の一例であるスライド足場設備１の全体図であり、図２は後述するスライドレール５の拡大図であり、図３は後述する支持金具３（本発明における支持構造に相当する。）を表した正面図であり、図４は前記支持金具３の縦断面図であり、図５は図３に示すＡ‐Ａ間の横断面図であり、図６は図３に示すＢ‐Ｂ間の横断面図であり、図７は図３に示すＣ‐Ｃ間の横断面図である。
【００１６】
図１に示すように、スライド足場設備１は、構造物Ｘの施工時に構造物Ｘの外壁面Ｘ１に沿って設置された仮設足場ユニット２と、外壁面Ｘ１に固定されて仮設足場ユニット２を支持する支持金具３と、を備えている。
【００１７】
［仮設足場ユニット］
図１に示すように、仮設足場ユニット２は、図示せぬ揚重機によって吊り上げられることで外壁面Ｘ１に沿って上方にスライド可能な足場であり、複数段（図１では７段）に組んだ枠組み足場４と、上下方向に延在するスライドレール５と、を備えている。
【００１８】
枠組み足場４は、主に、建枠４０、アンチ４１及び図示せぬブレースなどからなる周知の枠組み足場である。枠組み足場４の上部には、水平方向に延在する頭つなぎ単管４２が取り付けられている。また、枠組み足場４の中段部分の内面（外壁面Ｘ１に対向する面側）には、水平方向に延在する水平繋ぎ単管４３が取り付けられている。上記した頭つなぎ単管４２及び水平繋ぎ単管４３は、直交クランプを介して建枠４０にそれぞれ連結されている。また、枠組み足場４の下端部には、落下養生４４が取り付けられている。また、枠組み足場４の外面（外壁面Ｘ１に対向する内面の反対側の面）には垂直ネット４５が張設されている。
【００１９】
スライドレール５は、枠組み足場４の内面側の部分に取り付けられたレールである。詳しく説明すると、図１、図２に示すように、スライドレール５は、複数（図１では２本）のレール部材５０を連結した構成からなる。レール部材５０は、間隔をあけて並べられた一対の単管パイプ５１，５１と、一対の単管パイプ５１，５１の間に設けられた繋ぎプレート５２と、を備えている。繋ぎプレート５２は、一対の単管パイプ５１，５１の上下端及び中間部に間隔をあけて配設されており、その両側端は、一対の単管パイプ５１，５１にそれぞれ溶接されている。
【００２０】
ここで、レール部材５０，５０のジョイント構造について説明する。図２に示すように、レール部材５０，５０のジョイント構造としては、上側の単管パイプ５１の下端と下側の単管パイプ５１の上端とを連結する単管ジョイントピン５３と、上側のレール部材５０の下端に設けられた繋ぎプレート５２と下側のレール部材５０の上端に設けられた繋ぎプレート５２とを連結するジョイントプレート５４と、から構成されている。単管ジョイントピン５３は、円筒形状の部材であり、その両端が上下の単管パイプ５１内に挿入されている。また、ジョイントプレート５４は、繋ぎプレート５２を両側から挟み込む一対の板材であり、その上下端部が上下の繋ぎプレート５２にそれぞれボルト止めされている。
【００２１】
また、スライドレール５は、上記水平繋ぎ単管４３に取り付けられている。詳しく説明すると、スライドレール５は、一対の単管パイプ５１，５１の間に水平繋ぎ単管４３を通して延設されており、一対の単管パイプ５１，５１のうちの枠組み足場４側の単管パイプ５１Ａが直交クランプ５５を介して水平繋ぎ単管４３に連結されている。
【００２２】
また、スライドレール５には、仮設足場ユニット２を支えるための被支持プレート５６（本発明における被支持部に相当する。）が設けられている。詳しく説明すると、被支持プレート５６は、水平に配設された矩形の板材であり、繋ぎプレート５２の下端に垂直に溶接されており、足場正面側（図１における右側）からみて繋ぎプレート５２の両側（外壁面Ｘ１に沿った方向）にそれぞれ突出されている。つまり、被支持プレート５６の上面に繋ぎプレート５２が垂直に立設された構成になっている。この被支持プレート５６は、後述する支持ブラケット７の上に載置されるものであり、スライドレール５の長さ方向に複数（図１では２つ）設けられている。また、被支持プレート５６の上面には、被支持プレート５６及び繋ぎプレート５２にそれぞれ溶接された直角三角形状のリブ５７が設けられている。
【００２３】
また、スライドレール５には、後述するガイド８に摺接する摺接部５８が付設されている。詳しく説明すると、摺接部５８は、三角形状の板材であり、一対の単管パイプ５１，５１のうちの外壁面Ｘ１側の単管パイプ５１Ｂの外周面に、外壁面Ｘ１方向に向けて突設されている。この摺接部５８の先端の頂点部分が後述するガイド８の内周面に摺接されている。
【００２４】
［支持構造］
一方、支持金具３は、図１に示すように、仮設足場ユニット２を浮かせた状態で支持するものであり、上下方向及び水平方向にそれぞれ複数設けられている。具体的に説明すると、図１に示すように、ｎ階のスラブＳや梁Ｇの躯体工事及びｎ−１階の柱Ｃ及び外壁ＷのＰＣ工事を行っている場合、支持金具３は、ｎ−２階の外壁Ｗの上端部分、及びｎ−３階の外壁Ｗの上端部分にそれぞれ設置される。
【００２５】
支持金具３の概略構成としては、図３、図４に示すように、外壁面Ｘ１に固定されるベース６と、ベース６の上部から仮設足場ユニット２側へ向けて張り出された支持ブラケット７と、支持ブラケット７の下方に配設されて仮設足場ユニット２（スライドレール５）のスライドを案内するガイド８と、ガイド８の下方に配設されてスライドレール５を把持するクランプアーム９と、を備えている。
【００２６】
ベース６は、外壁面Ｘ１にボルト止めされるベースプレート６０と、上下方向に延在する角筒状の筒部６１と、を備えている。詳しく説明すると、ベースプレート６０の四隅部分には、ボルト止め用の長穴６０ａがそれぞれ形成されている。この長穴６０ａにボルトＢを通し、外壁面Ｘ１に埋設されたインサートＩに螺着させることで、ベース６は外壁面Ｘ１に固定される。筒部６１は、下端が閉塞されて上端が開放された角筒形状を成しており、具体的に説明すると、ベースプレート６０と、ベースプレート６０に垂直に突設された両側の側壁部６２，６２と、両側の側壁部６２，６２の先端間に形成された正面壁部６３と、両側の側壁部６２，６２の下端間に形成された底壁部６４と、からなる。また、正面壁部６３は、その上端が側壁部６２，６２の中間位置に配置されるように配設されている。つまり、筒部６１の上部の正面側（仮設足場ユニット２側）の部分は開口されている。
【００２７】
支持ブラケット７は、図３、図４、図５に示すように、上記した被支持プレート５６が載置されて仮設足場ユニット２を支持するための長尺部材であり、その基端部が筒部６１の上部内側に配置され、その先端部が筒部６１の外部に突出されている。詳しく説明すると、支持ブラケット７は、間隔をあけて対向配置された一対の長方形のブラケットプレート７０，７０と、一対のブラケットプレート７０，７０間に配設された繋ぎプレート７１と、を備えている。上記一対のブラケットプレート７０，７０の内側には、スライドレール５の外壁面Ｘ１側の単管パイプ５１Ｂが挿通されている。
【００２８】
また、支持ブラケット７は、外壁面Ｘ１に沿って水平方向に延在する回転軸７２により軸支されており、この回転軸７２周りに回転可能に設けられている。また、支持ブラケット７は、外壁面Ｘ１に対して垂直に張り出された水平状態（図４に示す状態）から先端を下げる方向への回動（図４における時計回りの回動）が規制されているとともに、上記水平状態から先端を上げる方向への回動（図４における反時計回りの回動）が許容されている。
【００２９】
具体的に説明すると、支持ブラケット７は、その重心位置よりも基端側の部分で回転軸７２により軸支されている。回転軸７２は、筒部６１の両側の側壁部６２，６２間に架設されている。また、支持ブラケット７の基端部の上方には、支持ブラケット７の回転を規制するための回転規制板７３が配設されている。この回転規制板７３は、筒部６１の内側で回転軸７２よりも基端側に配設されており、筒部６１の両側の側壁部６２，６２間に架設されている。支持ブラケット７は、回転軸７２より先端側の部分の自重により先端を下げる方向へ回転しようとするものの、水平状態になったところで、その基端部が上記回転規制板７３に当接することにより、先端を下げる方向への回転が規制され、水平状態が保持される。一方、支持ブラケット７の基端部の下方及び先端部の上方は開放されているため、支持ブラケット７は、水平状態から先端を上げる方向への回転が許容されている。
【００３０】
また、支持ブラケット７の先端部の上辺部分には、支持ブラケット７上に載せられた被支持プレート５６がブラケットプレート７０の材軸方向（長手方向）にずれるのを防止するための三角形状の突起７４が突設されている。この突起７４は、被支持プレート５６を前後（ブラケットプレート７０の材軸方向の両側）から挟むように間隔をあけて配設されている。
【００３１】
ガイド８は、図３、図４、図６に示すように、スライドレール５の相対的な上下方向の移動を許容しつつスライドレール５に係合される部材である。具体的に説明すると、ガイド８は、両端がそれぞれ開放された角筒形状の部材である。このガイド８は、上下方向に延在した状態でベース６の筒部６１の正面壁部６３に溶接されており、その内側には、スライドレール５の外壁面Ｘ１側の単管パイプ５１Ｂが挿通されている。また、ガイド８の正面側の壁部８０には、スライドレール５の繋ぎプレート５２を通すためのスリット８ａが形成されている。このスリット８ａの両端は、スリット８ａの長さ方向中央部に向うに従い漸次縮幅されている。具体的に説明すると、スリット８ａの上端はＶ字状に形成されており、スリット８ａの下端は、逆Ｖ字状に形成されている。
【００３２】
クランプアーム９は、図３、図４、図７に示すように、スライドレール５に着脱自在に取り付けられるクランプ９０と、筒部６１の下から仮設足場ユニット２側へ向けて延設されたクランプブラケット９１と、を備えている。クランプ９０は、スライドレール５の外壁面Ｘ１側の単管パイプ５１Ｂを把持する器具であり、クランプブラケット９１の先端に固定されている。クランプブラケット９１は、角筒形状の部材であり、鉛直面に沿って回転可能に設けられている。
【００３３】
具体的に説明すると、ベース６の筒部６１の底壁部６４には、対向配置された一対の垂壁部９２，９２が垂設されており、この一対の垂壁部９２，９２の内側にクランプブラケット９１が挿入されている。クランプブラケット９１は、外壁面Ｘ１に沿って水平方向に延在した回転軸９３により基端部が軸支されており、この回転軸９３周りに鉛直面に沿って回転可能に設けられている。詳しく説明すると、クランプブラケット９１の基端部の両側面には、クランプブラケット９１の材軸方向に長い長孔９１ａがそれぞれ形成されている。この長孔９１ａ内には、一対の垂壁部９２，９２の内側に架設された上記回転軸９３が挿通されている。また、クランプブラケット９１の材軸方向中央部の両側面には、ピン孔９１ｂがそれぞれ形成されている。また、上記した一対の垂壁部９２，９２には、上記ピン孔９１ｂの位置に合わせられた長孔９２ａがそれぞれ形成されている。この長孔９２ａ内及び上記ピン孔９１ｂ内には、クランプブラケット９１の回転を規制するためのピン９４が挿通されている。このピン９４は、チェーン９５によって上記垂壁部９２に繋がれている。
【００３４】
次に、上記した構成からなるスライド足場設備１のクライミング方法について説明する。
【００３５】
まず、図１に示すｎ−１階の柱Ｃ及び外壁ＷのＰＣ工事及びｎ階のスラブＳ及び梁Ｇの躯体工事が終了した後、ｎ−１階の外壁Ｗの上端部分に支持金具３を設置する。具体的に説明すると、図１、図３、図４に示すように、まず、予め、ｎ−１階の外壁Ｗの上端部分に、支持金具３を固定するためのインサートＩを埋設しておく。そして、支持金具３に備えられたガイド８を外壁面Ｘ１側の単管パイプ５１Ｂの上端から被せるようにしてスライドレール５に支持金具３を取り付けた後、その支持金具３をスライドレール５に沿ってｎ−１階の外壁Ｗの上端部分の位置まで下降させる。次に、支持金具３のベースプレート６０を外壁面Ｘ１に当接させ、ベースプレート６０の長穴６０ａを上記したインサートＩの位置に合わせる。そして、ボルトＢをベースプレート６０の長穴６０ａから挿入してインサートＩに螺合させて締め付ける。これにより、ベース６（支持金具３）が外壁面Ｘ１に固定される。このとき、支持ブラケット７は、外壁面Ｘ１に対して垂直に張り出された水平状態になっており、一対のブラケットプレート７０，７０の間に外壁面Ｘ１側の単管パイプ５１Ｂが通されている。また、クランプ９０は、スライドレール５に取り付けず、クランプアーム９を筒部６１の下方に垂れ下げた状態にしておく。つまり、クランプアーム９は、スライドレール５と外壁面Ｘ１との間にスライドレール５と平行に配設させておく。
【００３６】
また、図１に示すｎ−２階の外壁Ｗ上部及びｎ−３階の外壁Ｗ上部にそれぞれ設置された支持金具３のクランプ９０をスライドレール５から取り外すとともに、その支持金具３のピン９４を、上記した一対の垂壁部９２，９２の長孔９２ａ内及び上記したクランプブラケット９１のピン孔９１ｂ内から引き抜く。これにより、クランプブラケット９１は、その自重により先端を下げる方向に回動して筒部６１の下方に垂れ下がった状態となり、スライドレール５と外壁面Ｘ１との間でスライドレール５と平行に配設される。これにより、クランプ９０がスライドレール５の近傍から離される。
【００３７】
次に、クレーン等の揚重機を用いて仮設足場ユニット２を吊り上げて仮設足場ユニット２を上昇させる。これにより、上記したｎ−２階の外壁Ｗ上部及びｎ−３階の外壁Ｗ上部にそれぞれ設置された支持金具３の支持ブラケット７の上から上記被支持プレート５６がそれぞれ離間する。なお、仮設足場ユニット２を吊り上げたとき、図８に示すように、スライドレール５がガイド８によって案内されるため、仮設足場ユニット２は外壁面Ｘ１に沿って上方に移動する。また、スライドレール５に付設された摺接部５８がガイド８の内周面上を摺動しながら仮設足場ユニット２は上昇する。
【００３８】
また、上述したように仮設足場ユニット２が上昇していくと、上側の被支持プレート５６が、ｎ−１階の外壁Ｗ上部に新たに設置した支持金具３（ｎ−１階の外壁Ｗ上部に設置された支持金具３）の支持ブラケット７の下面に当接し、下側の被支持プレート５６が、ｎ−２階の外壁Ｗ上部に設置された支持金具３の支持ブラケット７の下面に当接する。このとき、前記支持ブラケット７は、水平状態から先端を上げる方向への回動が許容されているため、図９、図１０に示すように、上昇する被支持プレート５６によって押し上げられ、水平状態から上方へ回動する。そして、図１１に示すように、被支持プレート５６が支持ブラケット７の先端よりも上方に移動し、被支持プレート５６が支持ブラケット７から外れると、押し上げられた支持ブラケット７は、その重心位置よりも基端側に配設された回転軸７２周りに回転可能に設けられているため、その先端部の自重により、先端を下げる方向へ回転する。そして、支持ブラケット７は、回転規制板７３によって水平状態から先端を下げる方向への回動が規制されているため、図１１に示す水平状態になったところで回転が止まり、元の状態に戻る。このように、仮設足場ユニット２の被支持プレート５６は、水平状態の支持ブラケット７をかわして上昇する。
【００３９】
次に、図１２に示すように、仮設足場ユニット２を下降させ、上側の被支持プレート５６を、ｎ−１階の外壁Ｗ上部に新たに設置した支持金具３の支持ブラケット７上に載置するとともに、下側の被支持プレート５６を、ｎ−２階の外壁Ｗ上部に設置された支持金具３の支持ブラケット７上に載置する。このとき、支持ブラケット７は、水平状態から先端を下げる方向への回動が規制されているため、仮設足場ユニット２は、ｎ−１階の外壁Ｗ上部に新たに設置した支持金具３及びｎ−２階の外壁Ｗ上部に設置された支持金具３により支持される。
【００４０】
次に、図１３に示すように、ｎ−１階の外壁Ｗ上部に新たに設置した支持金具３のクランプブラケット９１、及びｎ−２階の外壁Ｗ上部に設置された支持金具３のクランプブラケット９１をそれぞれ回転させ、各支持金具３のクランプアーム９をそれぞれ水平状態にする。そして、各支持金具３のクランプ９０をスライドレール５の外壁面Ｘ１側の単管パイプ５１Ｂに取り付け、各支持金具３と仮設足場ユニット２とを連結する。
【００４１】
次に、ｎ−３階の外壁Ｗ上部に設置された支持金具３を撤去する。具体的に説明すると、前記支持金具３のベースプレート６０を固定しているボルトＢを取り外し、支持金具３を外壁面Ｘ１から取り外す。その後、この支持金具３をスライドレール５に沿って下方に移動させ、ガイド８を外壁面Ｘ１側の単管パイプ５１Ｂの下端から抜き取るようにして、支持金具３をスライドレール５から取り外す。
以上により、スライド足場設備１のクライミングが完了する。
【００４２】
上記した構成からなるスライド足場設備１によれば、クライミングの際、支持ブラケット７が上方に回転して仮設足場ユニット２の被支持プレート５６をかわすため、クライミング作業を容易に行うことができる。すなわち、スライド足場設備１のクライミングの際、外壁面Ｘ１に支持金具３を設置したまま仮設足場ユニット２を上昇させることができるため、支持金具３を取り外したり再び取り付けたりする手間を省くことができる。
【００４３】
また、スライドレール５には、ガイド８の内周面に摺接する摺接部５８が付設されており、仮設足場ユニット２を上昇させる際、摺接部５８がガイド８の内周面上を摺動するため、スライドレール５とガイド８との干渉を防ぐことができ、仮設足場ユニット２をスムーズに上昇させることができる。
【００４４】
また、支持金具３には、スライドレール５に着脱自在に取り付けられるクランプ９０が備えられており、仮設足場ユニット２の被支持プレート５６を支持ブラケット７上に載置させた後、クランプ９０をスライドレール５に取り付けることで、支持金具３と仮設足場ユニット２とが連結されるため、支持金具３によって支持された仮設足場ユニット２が、地震や風等によって不意に支持金具３から外れることを防止することができる。
【００４５】
さらに、上記したクランプ９０は、鉛直面に沿って回転可能なクランプブラケット９１の先端に固定されているため、スライドレール５からクランプ９０を取り外して仮設足場ユニット２を上昇させる際、先端を下げる方向へクランプブラケット９１を回転させることで、クランプ９０がスライドレール５の近傍から離されるため、仮設足場ユニット２を上昇させる際のクランプ９０とスライドレール５との干渉を防ぐことができ、仮設足場ユニット２をスムーズに上昇させることができる。
【００４６】
以上、本発明に係るスライド足場設備の実施の形態について説明したが、本発明は上記した実施の形態に限定されるものではなく、その趣旨を逸脱しない範囲で適宜変更可能である。
例えば、上記した実施の形態では、枠組み足場４からなる仮設足場ユニット２が備えられているが、本発明は、枠組み足場４に限定されるものではなく、単管足場やその他の足場からなる仮設足場ユニットであってもよい。
【００４７】
また、上記した実施の形態では、支持金具３が上下方向に２つ設けられているが、本発明は、支持金具３が上下方向に３つ以上設けられていてもよく、或いは、支持金具３が上下方向に１つだけであってもよい。
【００４８】
また、上記した実施の形態では、支持ブラケット７の回転軸７２が、支持ブラケット７の重心位置よりも外壁面Ｘ１側に配設されており、被支持プレート５６によって押し上げられた支持ブラケット７が被支持プレート５６から外れたとき、支持ブラケット７は、その先端部の自重によって、先端を下げる方向へ回転し、元の水平状態に戻るが、本発明は、これに限定されるものではない。例えば、支持ブラケット７の回転軸７２が、支持ブラケット７の重心位置に配設されていてもよく、押し上げられた支持ブラケット７がバネ等の付勢によって元の水平状態に戻る構成であってもよい。
【００４９】
また、上記した実施の形態では、支持ブラケット７の基端部の上方に、支持ブラケット７の回転を規制する回転規制板７３が設けられているが、本発明はこれに限定されるものではない。例えば、支持ブラケット７の先端部（回転軸７２よりも仮設足場ユニット２側の部分）の下方に回転規制板７３が設けられていてもよい。さらに、回転規制板７３を設けずに、支持ブラケット７が水平状態になったときに、支持ブラケット７の先端部の下面にガイド８の上端や筒部６１の正面壁部６３の上端が当接する構成にすることも可能である。
【００５０】
また、上記した実施の形態では、鉛直面に沿って回転可能なクランプブラケット９１の先端にクランプ９０が固定されているが、本発明は、上記クランプブラケット９１が備えられてなく、クランプ９０がベース６（筒部６１）に直接設けられた構成にすることも可能である。例えば、クランプ９０が筒部６１に着脱自在に取り付けられた構成にすることも可能であり、この場合、仮設足場ユニット２を上昇させる際、クランプ９０をスライドレール５から取り外すとともに支持金具３からも取り外す。
【００５２】
また、上記した実施の形態では、スライドレール５に摺接部５８が付設されているが、本発明は、摺接部５８が備えられていない構成にすることも可能である。
また、上記した実施の形態では、スライドレール５に被支持プレート５６が設けられているが、本発明は、仮設足場ユニット２の枠組み足場４に被支持プレート５６が設けられていてもよく、被支持プレート５６（被支持部）が仮設足場ユニット２に備えられていればよい。
【００５３】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００５４】
【図１】本発明の実施の形態を説明するためのスライド足場設備を表す断面図である。
【図２】本発明の実施の形態を説明するためのスライドレールの部分拡大図である。
【図３】本発明の実施の形態を説明するための支持構造の正面図である。
【図４】本発明の実施の形態を説明するための支持構造の縦断面図である。
【図５】図３に示すＡ‐Ａ間の横断面図である。
【図６】図３に示すＢ‐Ｂ間の横断面図である。
【図７】図３に示すＣ‐Ｃ間の横断面図である。
【図８】本発明の実施の形態を説明するための支持構造の縦断面図である。
【図９】本発明の実施の形態を説明するための支持構造の縦断面図である。
【図１０】本発明の実施の形態を説明するための支持構造の縦断面図である。
【図１１】本発明の実施の形態を説明するための支持構造の縦断面図である。
【図１２】本発明の実施の形態を説明するための支持構造の縦断面図である。
【図１３】本発明の実施の形態を説明するための支持構造の縦断面図である。
【符号の説明】
【００５５】
１  スライド足場設備
２  仮設足場ユニット
３  支持金具（支持構造）
５  スライドレール
７  支持ブラケット
８  ガイド
５６  被支持プレート（被支持部）
５８  摺接部
７２  回転軸
９０  クランプ
９１  クランプブラケット
Ｘ  構造物
Ｘ１  外壁面
【図１】
0005232479.tif 000002
【図２】
0005232479.tif 000003
【図３】
0005232479.tif 000004
【図４】
0005232479.tif 000005
【図５】
0005232479.tif 000006
【図６】
0005232479.tif 000007
【図７】
0005232479.tif 000008
【図８】
0005232479.tif 000009
【図９】
0005232479.tif 000010
【図１０】
0005232479.tif 000011
【図１１】
0005232479.tif 000012
【図１２】
0005232479.tif 000013
【図１３】
0005232479.tif 000014